(57)【要約】本発明は、符号のシーケンスを含む補助信号がプリフォームトラック変調を用いて記録されたプリフォームトラックを有するディスクのような光学的に記録可能型の記録担体に関する。この符号は、アドレス符号（ＡＣ）が記録されたトラック部のアドレスを指定するアドレス符号（ＡＣ）のシーケンスと、特殊符号（ＳＣ）とを含む。特殊符号（ＳＣ）は、アドレス符号（ＡＣ）から識別され、記録装置による記録を制御する制御データを指定し得る。記録担体は、プログラムキャリブレーション領域（ＰＣＡ）の前に拡張領域（ＸＡＡ）が設けられ、拡張領域（ＸＡＡ）は、記録を制御する付加制御情報を表現する特殊符号（ＳＣ）を含む。
2004515876.tif 000002
【特許請求の範囲】
【請求項１】
符号のシーケンスを含む補助信号が予めのトラック変調を用いて予め形成されたプリフォームトラックを具備し、
符号は、アドレス符号が記録されたトラック部のアドレスを指定するアドレス符号のシーケンスと、記録装置による記録を制御する制御データを指定する特殊符号と、を含み、
プリフォームトラックは、ディスクの内側部から順番に、
レコーダのキャリブレーション用に確保されたプログラムキャリブレーション領域と、
記録されたユーザ内容データを一時的に保持するプログラムメモリ領域と、
最終的に記録されたユーザ内容データを保持するリードイン領域と、
プログラム領域の終わりを示すリードアウト領域と、
が設けられ、
該特殊符号は、リードイン領域とリードアウト領域のうちの少なくとも一方に記録されている、
ディスク状の光学的に書込み可能なタイプの記録担体であって、
該プリフォームトラックは、
プログラムキャリブレーション領域よりも前に、記録装置による記録を制御するための付加制御情報を表現する特殊符号を収容する拡張領域が更に設けられていることを特徴とする記録担体。
【請求項２】
拡張領域は、
付加制御情報を収容する拡張情報領域と、
拡張情報領域とプログラムキャリブレーション領域の間に設けられ、アドレス符号だけを収容するバッファ領域と、
有することを特徴とする請求項１記載の記録担体。
【請求項３】
アドレス符号はリードイン領域の開始を基準とする絶対再生時間によって表現され、
バッファ領域は、１乃至２秒の絶対再生時間の範囲をカバーすることを特徴とする、請求項２記載の記録担体。
【請求項４】
アドレス符号はリードイン領域の開始を基準とする絶対再生時間によって表現され、
拡張情報領域は、リードイン領域よりも絶対再生時間単位で約１分だけ先行することを特徴とする、請求項２又は３記載の記録担体。
【請求項５】
アドレス符号及び特殊符号のシーケンスは、アドレス符号及び特殊符号の周期的パターンにより構成され、
リードイン領域内のパターンは、所定の基準アドレスに対して所定の位置関係にあることを特徴とする、請求項１乃至４のうちいずれか一項記載の記録担体。
【請求項６】
所定の基準アドレスは、リードイン領域の開始アドレス又は終了アドレスであることを特徴とする、請求項５記載の記録担体。
【請求項７】
周期的パターンは、第１の個数の連続したアドレス符号によって分離された特殊符号を含み、
周期的パターンは、所定の基準アドレスに対して、所定の個数のアドレス符号によってシフトされていることを特徴とする、請求項６記載の記録担体。
【請求項８】
記録担体に記録された情報を読み出す読出し手段と、
記録処理に応じて記録担体に記録する記録手段と、
を有し、
読出し手段は、
記録担体に記録された補助信号を読み出す手段と、
補助信号から特殊符号及びアドレス符号を抽出する選択手段と、
記録処理を制御する制御手段と、
を具備する、
請求項５乃至７のうちいずれか一項記載の光学的に書込み可能なタイプの記録担体を記録再生する装置であって、
制御手段は、アドレス符号及び特殊符号の周期的パターンの所定の位置関係を決定し、所定の位置関係を検出したときに記録担体上の拡張領域を読み出すように適合していることを特徴とする、装置。
【請求項９】
制御手段は、リードイン領域内の特殊情報を最初に読み出し、所定の位置関係が検出されたときに限り、次に、リードアウト領域を読み出すように適合している、請求項８記載の装置。
【発明の詳細な説明】
【０００１】
〔発明の分野〕
本発明は、請求項１の前提部分に記載された記録担体に関する。本発明は、さらに、請求項８の前提部分に記載された装置に関する。
【０００２】
〔発明の背景〕
このような記録担体及び装置は、欧州特許第０３９７２３８号明細書に記載されている。この文献において、特殊符号は、たとえば、書込みパワー、記録担体上の特殊領域の位置、基準記録速度、ディスクアプリケーション符号、ディスクタイプなどのような記録用制御情報を含む特殊情報により構成される。これは、書込み可能型コンパクトディスク、すなわち、ＣＤ−Ｒという名前で知られている製品に適用されている。実際上、特殊符号に格納される情報量は制限されることが分かる。この問題を解決するため、特殊符号の定義は、特殊符号に格納される情報の容量を増加させ得るように変更される。しかし、これにより、市場に出回っている既存のシステム及び規格と両立しなくなる。
【０００３】
〔発明の目的と概要〕
したがって、特に、本発明は、特殊符号の定義を変更することなく、特殊符号に格納されるべき制御情報の量を増加させることを目的とする。一局面によれば、本発明による記録担体は、請求項１の特徴部分によって実現される。
【０００４】
この拡張領域（ＸＡＡ）は、付加制御情報を特殊符号（ＳＣ）に記録するため使用される。この拡張領域を従来の領域の外側に配置することによって、既に市販されている旧来の記録装置は、この拡張領域によって混乱させられない。なぜならば、この拡張領域（ＸＡＡ）は、このような装置の通常の領域の範囲外にあるためである。しかし、たとえば、記録速度能力が向上した新しい記録装置だけが、拡張領域に記録された制御情報を処理するよう適合している。この拡張領域をプログラムキャリブレーション領域（ＰＣＡ）に隣接させて配置することにより、記録装置は、その読出し手段をこの拡張領域の上に移動させるという重要な困難さがなくなる。更に、通常の通り、記録装置がリードイン領域（ＬＩ）内で制御情報を探索し始めるとき、拡張領域（ＸＡＡ）の後続のジャンプは、大きなアクセス時間を必要とはしない。
【０００５】
有利な実施例は、請求項２の特徴部分によって実現される。バッファ領域は、未知の内容を含む領域へ陥らないように既存の装置を保護する。
【０００６】
好ましい一実施例は、請求項３の特徴部分によって実現される。バッファ領域は、拡張領域（ＸＡＡ）の端区域をできる限り広く維持するため、できる限り小さくされるべきである。
【０００７】
次の実施例は、請求項４の特徴部分によって実現される。これは、記録装置の読出し手段の内部変位を、この変位が機械的許容可能範囲に収まるように制限する。
【０００８】
更なる有利な実施例は、請求項５の特徴部分によって実現される。このような所定の位置関係は、拡張領域（ＸＡＡ）の存在を示すため使用される。拡張領域の情報を処理するよう適合した記録装置は、リードイン領域の情報の読出しから開始した後、拡張領域を読出し続ける。
【０００９】
記録担体の有利な一実施例は、請求項６の特徴部分によって実現される。スタートアドレス又はエンドアドレスは、先行して読出すことができる特殊情報に指定される。これにより、位置関係を定義するため使用され得るディスク毎の固有基準が得られる。
【００１０】
記録担体の更なる有利な実施例は、請求項７の特徴部分によって実現される。このようなシフトは、アドレス符号を比較することによって比較的容易に設定される。
【００１１】
本発明による記録及び／又は再生装置は、請求項８の特徴部分によって実現される。このような装置は、このような付加制御情報が設けられた記録担体の有無を検出し、次に、この情報を使用する。
【００１２】
更なる有利な実施例は、請求項７の特徴部分によって実現される。所定の位置関係が検出された場合に限り、記録担体の全体に亘る適当な読出し手段のジャンプが実行される。装置は、たとえば、付加情報のない記録担体の場合のように必要が無ければ、このような時間を要するジャンプを実行しなくてもよい。このようなディスクを使用する場合には、性能上のロスは生じない。
【００１３】
本発明の上記の局面及び効果、並びに、更なる局面及び効果は、好ましい実施例の開示を参照して、特に、添付図面を参照して以下で詳細に説明する。
【００１４】
〔実施例の説明〕
図１には、たとえば、欧州特許第０３２５３３０号明細書（ＰＨＮ１２．３９９）に記載されているような書込み可能型の記録担体１の考えられ得る実施例が示されている。図１ａは平面図である。図１ｂはラインｂ−ｂに沿った部分断面図である。図１ｃ及び１ｄは、それぞれ、記録担体１の第１実施例及び第２実施例の部分２の拡大平面図である。記録担体１は、たとえば、プリフォーム（予備成形）された溝若しくは山（リッジ）によって構成されたトラック４を含む。トラック４は、情報信号を記録するためのものである。記録の目的のため、記録担体１は、透明基板５に堆積させられ、保護層７で被覆された記録層６が設けられる。記録層６は、適切な強度の適当な放射線を照射されたときに、光学的に検出可能な変化の影響を受ける材料からなる。このような記録層は、たとえば、テルリウムのような金属の薄層でもよい。適当な強度のレーザ放射線を照射することにより、この金属層は局部的に融解するので、この場所で、当該層は異なる反射率をもつ。トラック４が、記録されるべき情報に応じて変調された強度の放射線ビームによって走査されたとき、光学的に検出可能な記録マークの情報パターンが取得される。この情報パターンが情報を表現する。
【００１５】
この層は、たとえば、磁気光学材料、色素、若しくは、加熱によって、アモルファスから結晶へ、或いは、その逆に結晶からアモルファスへ構造的変化を生じる材料のような別の放射線感応性材料により構成してもよい。このような材料の調査研究は、〔文献〕”Ｐｒｉｎｃｉｐｌｅｓ ｏｆ ｏｐｔｉｃａｌ ｄｉｓｃ ｓｙｓｔｅｍｓ”， Ａｄａｍ Ｈｉｌｇａｒ Ｌｔｄ．， Ｂｒｉｓｔｏｌ ａｎｄ Ｂｏｓｔｏｎ， ｐｐ．２１０−２２７に記載されている。
【００１６】
トラック４は、情報を記録するための記録担体１へ向けられた放射線ビームを、トラックＫ４上に正確に位置決めさせることが可能である。すなわち、トラック４は、半径方向における放射線ビームの位置を、記録担体１から反射した放射線を利用するトラッキングシステムによって制御することが可能である。記録担体上の放射スポットの半径方向位置を測定する測定システムは、上述の〔文献〕”Ｐｒｉｎｃｉｐｌｅｓ ｏｆ ｏｐｔｉｃａｌ ｄｉｓｃ ｓｙｓｔｅｍｓ”に記載されているようなシステムのうちの一つに対応していてもよい。
【００１７】
補助信号は、図１ｃに示されるような正弦波トラック軌跡の形に適した、プリフォームトラック変調を用いてトラック４に記録される。しかし、トラック幅変調（図１ｄ）のようなその他のトラック変調も適している。トラック軌跡は、記録担体の製造において非常に容易に実現されるので、このようなトラック軌跡の形式のトラック変調を使用する方が好ましい。
【００１８】
図１に示されたトラック変調は非常に誇張されている点に注意する必要がある。実際には、トラック幅が約１０−６メートルである場合に、約３０×１０−９メートルの振幅をもつ軌跡が走査ビーム変調の高信頼性検出に適していることがわかる。小さい振幅の軌跡は、隣接したサーボトラック間の距離が小さくなる点で有利である。図１には、トラックピッチ（トラック中心間の間隔）が実際よりも実質的に拡大されたスケールで示されている。実際上、トラックピッチは約１．６×１０−６メートルである。
【００１９】
魅力的なトラック変調は、トラック変調の周波数が補助信号に応じて変化させられるようなトラック変調である。しかし、他のトラック変調でも構わない。
【００２０】
図２は、同期信号１１と交互する符号信号１２を含む適当な補助信号の一例の説明図である。各符号信号１２は、７６チャネルビットの長さをもつ「二相マーク」変調信号を含む。この信号は、３８符号ビットからなる符号語を表現する。二相マーク変調信号の場合、各符号ビットは、二つの連続したチャネルビットによって表現される。本例の場合に”０”である第１の論理値の符号ビットは、同じ論理値の２ビットによって表現される。別の論理値（”１”）は、別の論理値の二つのチャネルビットによって表現される。さらに、二相マーク変調信号の論理値は、チャネルビットのペア毎に変化するので（図２を参照せよ）、同じ論理値の連続したビットの最大個数は、最大で２個である。同期信号１１は、符号信号１２から識別され得るような形で選択される。これは、同期信号１１内で同じ論理値の連続ビットの最大個数が３個になるように選択されるときに実現される。
【００２１】
図３は、符号語１２によって表現された３８ビット符号語１７の適当なフォーマットの説明図である。図示された符号語１７は、８ビットずつの３個のバイト１３、１４及び１５と、１４ビットグループ１６とを含む。バイト１３、１４及び１５の最上位ビットは、それぞれ、参照番号２０、２１及び２２を表わす。バイト１３、１４及び１５は、情報バイトとして使用され、１４ビットグループ１６は、誤り検出用のパリティビットを構成する。バイト１３、１４及び１５によって表現される値は、それぞれ、ｍｍ、ｓｓ及びｆｆのように呼ぶ。好ましくは、３８ビット符号語は、トラックに等間隔で記録され、相互に識別可能なアドレス符号ＡＣ及び特殊符号ＳＣを含み、アドレス符号と特殊符号は、たとえば、図６に示されるようなシーケンスでトラックに記録される。
【００２２】
図６において、一定個数、本例では９個のアドレス符号ＡＣの後に、補助符号ＳＣが続けられる。しかし、補助符号ＳＣの間のアドレス符号ＡＣの個数は、一定ではなく可変でも構わない点に注意すべきである。アドレス符号は、たとえば、トラック４が通常走査速度でスキャンされたとき、トラック内の基準位置とアドレス符号が記録される場所の間の距離を移動するための所要時間を示す時間符号を含む。好ましくは、選択されるアドレス符号は、ＣＤ信号の記録中にサブ符号Ｑチャネルに含まれるような絶対時間符号と一致する時間符号である。この場合、値ｍｍは、分の数字を指定し、値ｓｓ及びｆｆは、それぞれ、秒数及びフレーム数を表わす。指定される秒数は０乃至５９であり、指定されるフレーム数は０乃至７４である。分の数、秒数、及び、フレーム数は、たとえば、バイト１３、１４及び１５に符号化されたＢＣＤである。
【００２３】
上述のアドレス符号の利点は、特に、ＣＤ信号を記録担体に記録すべき場合に明らかになる。この場合、サブ符号Ｑチャネルに含まれる絶対時間符合は、欧州特許第０３２５３３０号明細書（ＰＨＮ１２．３９９）に詳細に記載されているように読出されたアドレス符号から直接取得される。
【００２４】
標準ＣＤ信号が記録されるとき、図４に示されるように、以下の１）〜３）の三つの異なる領域（エリア）が記録担体上で識別される。
１）半径ｒ２によって境界が定められた半径方向位置と半径ｒ３によって境界が定められた半径方向位置の間にあるプログラム領域（エリア）。
２）半径ｒ１によって境界が定められた半径方向位置と半径ｒ２によって境界が定められた半径方向位置の間にあるリードイン領域（エリア）。リードイン領域は、たとえば、オランダ国特許出願ＮＬ−Ａ−８９００７６６号（ＰＨＮ１２．８８７）に記載されているようにプログラム領域内の異なるデータのアドレスが内容のテーブルの形で格納されるリードイントラックにより構成される。
３）半径ｒ３によって境界が定められた半径方向位置と半径ｒ４によって境界が定められた半径方向位置の間にあるリードアウト領域（エリア）。リードアウト領域は、データ信号と識別可能なリードアウト信号がプログラム領域の終わりをマークするため記録されるリードアウトトラックを含む。
【００２５】
リードイン領域の先頭及びプログラム領域の先頭の半径方向位置はＣＤ規格によって規定され、リードイン領域の先頭から回転中心ｒ０までの所要距離は２３ｍｍであり、プログラム領域の先頭から回転中心ｒ０までの距離は２５ｍｍに決められる。さらに、リードアウト領域は、所定の半径方向位置よりも前に開始しなければならない。
【００２６】
トラック変調を用いて記録されたアドレス符号の最適利用のため、トラックに記録されたアドレス符号の値は、記録されるべきＣＤ信号の絶対時間符号と同様に変化する。すなわち、半径方向位置がｒ２によって示されたトラック部内のアドレス符号の値は、００：００：００である。好ましくは、リードイン領域内のアドレス符号の値は、この領域の最後で値９９：５９：７４まで増加する。これにより、プログラム領域内の最初のアドレス符号の値００：００：００は、リードイン領域内の最後のアドレス符号の値９９：５９：７４の直後に来るという利点が得られる。
【００２７】
上述の通り、特殊符号とアドレス符号は相互に識別できなければならない。これは、たとえば、アドレス符号を表現する符号信号と、特殊符号を表現する符号信号が、別個の同期信号１１の後に続く場合に実現される。本例において符号信号１２と共に使用される別個の同期信号１１の個数は、特に、欧州特許第０３４２７４８号明細書（ＰＨＮ１２．５７１）に記載されている。
【００２８】
しかし、特殊符号は、特殊符号がアドレス符号では出現しない特定ビット組合せを含む場合に、アドレス符号と区別され得る。上述の時間符号がアドレス符号に使用される場合、これは、３個のバイト１２、１４及び１５に対する最上位ビット２０、２１及び２２からなるビット組合せを用いることによって可能になる。この点について、図５を参照して説明する。
【００２９】
図５において、参照番号６６は、リードイン領域におけるアドレス符号の実現可能なビット組合せを示す。リードイン領域におけるバイト１３の値ｍｍがハイであるため、この領域におけるバイト１３の最上位ビット２０は常に論理値１になる。バイト１４の値ｓｓは、０と２９の間で変化し、ＢＣＤエンコーディングの場合に、これは、バイト１４の最上位ビット２１が常に論理値０になることを意味する。バイト１５の値ｆｆは０と２４の間で変化するので、バイト１５に対する最上位ビット２２は、常に論理値０になる。このビット組合せ６６におけるバイト１３、１４及び１５の他のビットは、論理値０若しくは論理値１のいずれかをとるので、シンボル”ｘ”によって示されている。
【００３０】
参照番号６７は、リードイン領域の外側にあるトラック部におけるアドレス符号のバイト１３、１４及び１５の起こり得るビット組合せを示す。リードイン領域内のアドレス符号の場合と同じ理由のため、ビット組合せ６７内のバイト１４及び１５の最上位ビット２１及び２２は、常に論理値０をとる。さらに、記録担体の再生時間は制限されるので、ビット組合せ６７内の最上位ビット２０が値１になる値をとるアドレス符号はプログラム領域に出現しない。
【００３１】
参照番号６１、６２、６３、６４、６５及び６９は、バイト１３、１４及び１５の最上位バイト２０、２１及び２２の組合せがアドレス符号における対応したビット組合せとは異なる多数のビット組合せを表現する。したがって、ビット組合せは、特殊符号ＳＣのため使用され、その場合、バイト１３、１４及び１５の下位７ビットは、付加情報を表現し得る。たとえば、ビット組合せ６１は、リードイン領域のアドレス符号を表現するため利用され得る。リードアウト領域のためのアドレス符号のバイト１３、１４及び１５の最上位ビットは、常に、同じ論理値０をとるので、リードアウト領域に対するアドレス符号の値は、ビット組合せ１６内のバイト１３、１４及び１５の下位７ビットによって完全に表現される。
【００３２】
同様に、リードイン領域に対するアドレス符号の値は、ビット組合せ６２によって表現される。ビット組合せ６３、６４及び６５は、たとえば、記録に要する書込みエネルギー、記録担体のタイプ、書込み方式などの他の付加情報をトラックに記録するため用いられる特殊符号のため利用される。
【００３３】
図５に示された特殊符号の定義から分かるように、特殊情報のため利用可能なビット数は有限である。このような特殊符号が実際に規格に組み込まれているので、より多数のバイトを格納し、既存のプレーヤ／レコーダとの互換性を損なう可能性は無い。この問題を取り扱うため、ディスクの別の領域、たとえば、リードアウト領域を使用することが可能である。しかし、プレーヤ／レコーダ内のドライブをこの領域へジャンプさせるには時間を要するので、その領域に情報がない既存のディスクの場合に有利ではない。したがって、本発明による実施例は、特殊符号内で、互換性を損なうことなく、このような情報、若しくは、ディスクの別の領域におけるこのような情報の有無を示すことによってこの問題を解決する。
【００３４】
実際上、リードイン領域の開始時間は、既存の規格に従って、このような符号に指定される。リードイン領域のフレームは、以下では、ＳＬＩのように表わす。ドライブは、起動したとき、リードイン領域内のある場所へジャンプし、特殊符号を認識すると読出しを開始する。実際、ディスクは、ＳＬＩの特殊符号ＳＣでスタートし、ＳＬＩ＋１０における次の特殊符号ＳＣでスタートし、以下同様である。しかし、現在の規格は、このような特殊符号が周期的に使用されるべきこと、並びに、連続的に繰り返されるべきこと、を規定するので、このようなシーケンスの開始は規定されていない。
【００３５】
より多くのディスクの情報を表現するため、たとえば、リードアウト領域における特殊符号の利用可能性を示すため、特殊符号の位置が、本発明による実現可能なアドレス符号及び特殊符号の第１実施例を表わす図７に示されるように、ｎフレームに亘ってシフトしされる。
【００３６】
１個の特殊符号と９個のアドレス符号ＡＣのパターンＰのｎフレームに亘るシフトは、リードイン領域のスタートＳＬＩに関して定義される。本発明による装置は、特殊符号ＳＣの検出されたアドレスと、特殊符号に指定されたリードイン領域の開始アドレスＳＬＩと、の（フレーム間）差を参照することによりｎを計算することが可能である。このようなシフト量ｎは、ドライブによって制御情報として使用されるべき付加情報を表わすか、又は、シフトは、このような情報がどこかに存在することを表わす。付加情報は、ディスクの書込み方式に関する情報を含む。これは、書込みに複雑なアプローチを必要とする高速ディスクに関連するようになる。このようなアプローチの定義は、特殊符号のフォーマットを定義したときには予想されていない。
【００３７】
既存のディスクがこのようなシフトｎを具備する場合、本発明によるドライブは、ジャンプし、ある程度の時間を要するが、システムは失敗しない。このような場合に、生じる問題は性能問題だけである。既存のドライブは、シフトｎによって調節されない。そのため、既存のドライブは、旧型ディスクへの下位互換性がある本発明によれば、旧来の方法で、新しいディスクを書込み、旧型ディスクは、本発明によれば、ｎ＝０であることに起因した遅延を伴うことなく、新しいドライブ上で書込まれ、
リードイン領域の先頭ＳＬＩに対するシフトを定義する代わりに、リードイン領域の終わりに対してシフトを定義してもよく、或いは、リードアウト領域の先頭に対してシフトを定義してもよい。このシフトは、後方へ定義してもよい。
【００３８】
本発明による第２実施例は図８に示されている。同図において、パターンＰは、３個の別々の特殊符号ＳＣ１、ＳＣ２及びＳＣ３の順序付きシーケンスを含む。３個の別々の特殊符号は、図５を参照して説明したように、ビット２０、２１及び２２を用いて個別に識別可能である。パターンＰにおける特定の順序は、現在の規格では規定されていないような順序であるため、この順序は、付加情報、若しくは、付加情報の存否を符号化するため使用され得る。
【００３９】
本発明による第３実施例は図９に示されている。同図では、特殊符号ＳＣ１、ＳＣ２及びＳＣ３と、アドレス符号ＡＣとからなるパターンＰが開示され、このパターンは、ｎフレームでシフトされる。パターンＰ内の特殊符号は、所定の順序でもよいし、所定の順序でなくてもよい。
【００４０】
上述の通り、付加制御情報は、リードアウト領域に格納される。しかし、本発明の更に有利な実施例は、付加制御情報を、リードイン領域の拡張領域に格納することによって、若しくは、リードイン領域に混入させることによって実現される。これらの実施例は、アクセス時間を増大させるリードアウト領域へのジャンプが不要である点で有利である。上述の方法で付加制御情報をリードイン領域に格納することは、位相ジャンプ、若しくは、上述のような特定の順序を組み込むことによって指示されることに注意する必要がある。しかし、このような情報の有無の標識は省略してもよい。なぜならば、リードイン領域へのジャンプの欠点が本実施例の場合には存在しないからである。
【００４１】
図１２は、付加制御情報をリードイン領域付近の拡張領域に格納する本発明による第４実施例の説明図である。この領域は、拡張ＡＴＩＰ領域と呼ばれる。既存の低速ドライブとの互換性の問題を回避するため、既存の領域は避けるべきである。これは、アクセスのため必要とされるプログラムキャリブレーション領域（ＰＣＡ）のバッファ領域にも適用される。このアイデアは、溝の領域をディスクの内側へ拡張させ、時間符号だけを含む付加バッファを除いて、この付加領域を特殊情報及び付加情報で充填することである。このバッファ領域は、既存のドライブが未知の内容を含む領域へ入ることを防止しなければならない。しかし、バッファは、拡張情報領域（ＸＩＡ）の終了半径をできるだけ大きい状態に保つために、できる限り小さくすべきである。拡張ＡＴＩＰ領域（ＸＡＡ）は、旧型プレーヤに対する通常の領域の範囲外にあるので、下位互換性のない点で有利である。さらに、旧型プレーヤは、本発明によるディスクを旧型ディスクとして取り扱う。本実施例の更なる利点は、新型プレーヤのための超高速ＡＴＩＰ情報アクセスである。リードイン領域内のＡＴＩＰ情報「位相オフセット」のため、プレーヤは、本発明によるディスクを１０フレーム（平均５フレーム）以内で検出し、全ＡＴＩＰ情報（８フレームだけ）を読出すためＸＡＡへジャンプすることが可能である。本実施例のこれらの詳細及びその他の詳細は図１２に示されている。
【００４２】
図１３を参照して第５実施例を説明する。本実施例において、付加制御情報は、リードイン領域に組み込まれる。殆どのプレーヤは、リードイン領域の後半でＡＴＩＰ情報の読出しを開始する、と想定される。この場合のリードイン領域において、パート１は、ＰＭＡ領域のアクセス用の保護バッファとして作用し、パート２は、全ての特殊情報及び付加情報を格納し、パート３は、リードイン領域の互換性パートである。第５実施例の利点は、本発明による新型プレーヤに機械的制限が課されない点である。
【００４３】
本発明は、現在のＣＤ書込み可能型、すなわち、ＣＤ−Ｒの規格に関して説明されているが、本発明は、ＣＤ−追記型、すなわち、ＣＤ−ＲＷ及びＤＶＤのような不安定な信号中の情報を使用するシステムにも適用できる点に注意すべきである。
【００４４】
図１０は、データ信号Ｖｉを上述の記録担体１に記録する記録装置の一実施例の構成図である。記録担体１は、モータ８１を用いて回転されるターンテーブル８０に置かれる。一般的なタイプの光学式書込み／読出しヘッド８２は、担体１に対向させて配置され、記録層６へ向けられた放射線ビーム８３を用いて、トラック４から情報を読出し、トラック４へ情報を記録する。読出しヘッド８２は、たとえば、モータ８５及びスピンドル８４からなるシステムを用いて、記録担体１に対して半径方向に移動可能である。ビーム８３は、通例的な方法で記録層６に集光され、通例的な集光及びトラッキングシステム（図示しない）を用いてトラック４上の保持される。トラックが走査されるとき、ビームは、プリフォームトラック変調に従って変調される。読出しヘッド８２において、このようにして変調されたビームは、通常の放射線感応検出器を用いて検出され、放射線感応検出器は信号電流を生成し、たとえば、欧州特許第０２６５９８４号明細書（ＰＨＮ１２．０６３）に記載されているように、この信号電流から検出信号Ｖｄが取り出され、検出信号の周波数はトラック変調の周波数に対応する。検出信号Ｖｄは、検出信号Ｖｄの周波数が基準クロック信号Ｃｋの周波数と一致し続けるようにモータの速度を制御するため、モータ制御回路８７へ供給される。モータ制御回路８７は、たとえば、検出信号Ｖｄと基準クロック信号Ｃｋの位相差を検出する位相検出器と、このようにして検出された位相差に依存した値の電圧をモータに印加する電源回路と、を含む。
【００４５】
検出信号Ｖｄは、検出信号Ｖｄから補助信号Ｖｈを再生するため、ＦＭ復調器８８にも供給される。再生された補助信号Ｖｈは、補助信号Ｖｈ内の同期信号１１を検出する同期信号検出回路８９へ供給され、補助信号を３８ビット符号語１７へ変換する二相マーク復調器９０へ供給される。３８ビット符号語１７のビットは、誤り検出回路９１へ直列に供給され、誤り検出回路は、ビットグループ１６のパリティビットを用いて、受信された符号語が誤りを含むかどうかを判定する。さらに、直列に供給された符号語１７は、直列・並列変換器９２へ送られ、直列・並列変換器の出力で、バイト１３、１４及び１５のビットが並列形式で利用できるようになる変換器９２の出力で得られた。バイト１３、１４及び１５の最上位ビット２０、２１及び２２は、通常の復号化回路９３へ供給され、でオーダ回路は、８個の信号Ｖ１、Ｖ２、Ｖ３、Ｖ４、Ｖ５、Ｖ６、Ｖ７及びＶ８を発生する。信号Ｖ１，．．．，Ｖ８と、バイト１３、１４及び１５の最上位ビット２０、２１及び２２の関係は、以下の表１に与えられる。
〔表１〕
最上位ビット    ２０    ２１    ２２
Ｖ１            １      ０      ０
Ｖ２            ０      ０      ０
Ｖ３            ０      １      ０
Ｖ４            １      １      ０
Ｖ５            ０      ０      １
Ｖ６            ０      １      １
Ｖ７            １      １      １
Ｖ８            １      ０      １
信号Ｖ３、Ｖ４、Ｖ５、Ｖ６、Ｖ７及びＶ８は、記録装置を制御する制御回路９４へ供給される。制御回路９４は、一般的なタイプのマイクロコンピュータを含み、マイクロコンピュータには、後述の適当な制御プログラムが取り込まれる。復号化回路９３の出力上の信号Ｖ１及びＶ２は、２入力ＯＲゲート９５へ供給される。信号Ｖ１及びＶ２は、変換器９２の出力上のバイト１３、１４及び１５が、リードイン領域内のアドレス符号、又は、リードイン領域の範囲外のアドレス符号を表現することを示す。したがって、ＯＲゲート９５の出力信号は、常に、変換器９２の出力信号がアドレス情報に関連するかどうかを示す。ＯＲゲート９５の出力信号は、２入力ＡＮＤゲート９６の入力へ供給される。誤り検出回路９０からの信号は、受信符号語１７が正確であることをパルスを用いて示す信号であり、ＡＮＤゲート９６のもう一方の入力へ供給される。
【００４６】
かくして、パルスを用いることによって、ＡＮＤゲート９６は、変換器の出力上の情報が、正確に読出されたアドレス符号を表現するかどうかを示す。ＡＮＤゲート９６の出力信号は、計数回路９７の並列ロード可能入力へ供給される。変換器９２の出力に現れるバイト１３、１４及び１５は、計数回路９７の並列入力へ供給されるので、正確に読出されたアドレス符号が受信されると、計数回路９７は読出されたアドレス符号を取り込む。計数回路９７は、カウンタのクロック入力上のクロックパルスに応答して、カウンタのカウントを１ずつインクリメントするタイプの回路である。読出される同期信号１１と同期したクロック信号は、クロック入力へ供給され、このクロック信号は、一般的な位相ロックループ回路（ＰＬＬ）１０３を用いて、同期信号検出回路８９の出力信号から取り出される。
【００４７】
計数回路９７は以下のように動作する。位相ロックループ回路１０３によって供給されたクロック信号パルスに応答して、カウントは、トラックに記録された符号値を読出す動作と同期して１ずつインクリメントされる。すなわち、カウントの値が読出し中のアドレスコードと一致すると直ぐに、カウントの値は、後続のアドレス符号が不正確に読出されるか、又は、読出される次の符号語１７がアドレス符号ＡＣを含まず、特殊符号ＳＣを含むかどうかとは無関係に、読出し中のアドレス符号の値に追従する。最初に、カウントが読出されるアドレス符号に対応しない場合、カウンタは、変換器９２によって並列入力を介して供給された正確な値と共に取り込まれるべきＡＮＤゲート９６の出力上の次のパルスに応答する。
【００４８】
カウントが読出されるアドレス符号と一致する限り、ＡＮＤゲートの出力上のパルスは影響を与えない。なぜならば、カウントは、計数回路の並列入力へ供給されたアドレス符号と既に一致しているからである。このアドレス符号の獲得方法は、アドレス符号ＡＣの代わりに、特殊符号ＳＣがトラックに記録されている場合でさえも、走査されるトラックの位置に対応するアドレス符号が常に利用可能であるという利点がある。すなわち、アドレス符号が記録されるトラック部は、依然としてアドレス指定可能である。変換器９２の出力上のバイト１３、１４及び１５は、計数回路９７の並列入力だけではなく、制御回路９４にも供給される。
【００４９】
制御回路は、記録処理若しくは読出し処理を制御するため、特殊符号中の情報を使用する。そのため、制御回路９４は、信号線９８及び９９を介して、書込み／読出しヘッド８２及びモータ８５に接続される。読出しヘッドは、信号線９８を用いて読出しモード若しくは書込みモードにセットされる。読出しモードの場合、放射線ビーム８３の強度は、一定の小さい値に保たれる。この値は、非常に小さいため、記録層６に光学的に検出可能な変化を生じさせない。書込みモードの場合、放射線ビームの強度は、光学的に検出可能な変化を生じさせない低強度レベルと、記録層６に光学的に検出可能な変化を生じさせる高強度レベルとの間の書込み信号Ｖｓに応じて切換えられ、これにより、書込み信号Ｖｓに対応した光学的に検出可能なパターンが記録層６に形成される。
【００５０】
特殊符号は、それ自体で、この書込み信号Ｖｓに関する情報、たとえば、現在の通常の規格で一般的であるような公称書込みパワーを示す。しかし、より複雑な書込み方式に関する付加情報は、本発明に関して既に説明したような方法で符号化される。本発明による制御回路は、更に、特殊符号のパターン中のシフト、アドレス符号及び特殊符号のパターン内の特殊符号のシフト量及び／又は順序を検出するためハードウェアに回路を有する。これは、メモリにロードされ、プロセッサによって実行される適当なプログラムによっても実行される。
【００５１】
書込み信号ＶｓはＥＦＭ変調回路１００によって生成される。ＥＦＭ変調回路１００は、データ信号Ｖｉと、バス１０１を介して供給されたサブ符号情報を、ＣＤ規格に準拠したＥＦＭ変調信号に変換し、ここから、書込み信号Ｖｓが、たとえば、オランダ国特許出願ＮＬ−Ａ−８７００９３４号明細書（ＰＨＮ８７．００９）に詳述されているような方法で獲得される。更に、高書込みレベル『書込みエネルギー）は、特殊符号で示された値に設定され得る。
【００５２】
記録担体に情報を記録する処理は、制御回路９４によって制御される。制御回路は、この目的のため、適当な制御プログラムを取り込む。このような制御プログラムは、たとえば、図１１のフローチャートに示されるようなステップを含む。
【００５３】
ステップＳ１は、記録担体１が記録装置に充填された直後に実行される。ステップＳ１において、書込み／読出しヘッド８２は読出しモードに設定され、復号化回路９６の出力上の信号Ｖ３及びＶ４を用いて、変換器９２の出力で得られる符号語がリードイン若しくはリードアウト領域のアドレス値を格納する特殊符号を含むかどうかが確かめられる。これらの特殊符号の存在が検出されたとき、リードイン領域の値及びリードアウト領域の値が制御回路９４のメモリに保持される。
【００５４】
次に、ステップＳ２において、読出し／書込みヘッド８２は、読出されたアドレス符号を用いて、リードイン領域のアドレス符号を収容するトラック部へ向けられる。特殊符号の存在及び内容は、読み出され、制御回路９４に保持される。アドレス符号及び特殊符号のパターンＰ内の特殊シフト及び／又は特殊符号の順序が検出されない場合、ステップＳ３に示されるように、特殊符号によって与えられた制御情報を使用して、書込みが続けられる。しかし、このような特殊シフト及び／又は順序が検出されたとき、制御回路９４は、制御目的のためこの情報を使用するか、或いは、読出し／書込みヘッダ８２を、たとえば、付加制御情報を含む付加特殊符号を詠み出すリードアウト領域のような所定の場所へ向ける。
【００５５】
ステップＳ３において、読出し／書込みヘッダ８２は、読み出されるアドレス符号を用いてトラック部へ向けられる。このトラック部に到達したとき、読出し／書込みヘッド８２は書込みモードに設定され、次に、ＥＦＭ変調回路１００へ供給されたデータ信号Ｖｉは記録され得る。記録は、記録されるべき完全なデータ信号が記録された後に終了する。記録処理の終了後、ステップＳ４が実行され、到達したリードアウト領域の開始アドレスによって指定されたトラック部の結果として、記録が中止されたかどうかを確認する。記録が中止された場合、ステップＳ５が実行され、リードアウト信号が所定の時間間隔中に記録され、リードアウト信号を特徴付けるサブ符号情報が制御回路９４によってＥＦＭ変調回路へ供給される。リードアウト信号の記録後、書込み／読出しヘッダ８２は、ステップＳ６において、最終的な内容のテーブルをリードイン領域に記録するため、リードイン領域へ向けられる。
【００５６】
ステップＳ４の間に、値ＡＶＯに到達したアドレス符号を有するトラック部の結果として、データ信号の記録が中止されていないことが確認された場合、仮の内容のテーブルがステップＳ７においてリードイン領域に記録される。次に、ステップＳ８において、更なるデータ信号を記録担体に記録すべきかどうかを検査する。更なるデータを記録すべき場合、プログラムは終了する。そうではない場合、最終的な内容のテーブルがステップＳ９においてリードイン領域に記録され、リードアウト信号がステップＳ１０で記録され、その後、プログラムが終了する。
【００５７】
上述の通り、本発明は、標準ＣＤ信号を、実質的に同心円状トラックからなる記録担体に記録する光学式記録システムについて説明されている。しかし、本発明は、直線状トラックへの信号の記録にも適用されることに注意する必要がある。さらに、本発明は、ＣＤ信号以外のデータ信号の記録にも適用される。本発明の範囲は光学式記録システムに限定されるものではない。本発明は、アドレス符号が予め適用されたトラック変調を用いてトラックに記録される、磁気光学式記録システム、磁気式記録システムにも同様に適用される。
【００５８】
最後に、本発明は、好ましい実施例に関して説明されているが、これらの実施例は本発明を限定するための例ではない、という点に注意する必要がある。したがって、請求項に記載されているような本発明の範囲を逸脱しないこれらの実施例の様々な変形が当業者に明らかであろう。たとえば、ＣＤ−ＲＷは、ＤＶＤ−ＲＷなどによって置き換えることができる。
【００５９】
本発明は、ハードウェアとソフトウェアの両方を用いて実現され、いくつかの手段は、同じハードウェアを用いて表現される。さらに、本発明は、各個の新規な特徴、或いは、新規な特徴の組合せの点にある。また、「有する」、「含む」のような用語は、請求項に列挙されていない他の構成要素や手順の存在を除外するものではない。参照符号は請求項に係る発明の範囲を制限するものではない。
【図面の簡単な説明】
【図１】
トラック変調を示すサーボトラックが設けられた記録担体の説明図である。
【図２】
トラック変調を用いてサーボトラックに記録された補助信号の適当なフォーマットの説明図である。
【図３】
補助信号によって表現された符号語の説明図である。
【図４】
記録担体の配置図である。
【図５】
補助符号及びアドレス符号に使用される多数のビット組合せの説明図である。
【図６】
記録担体のリードイン領域における連続的なアドレス符号及び特殊符号の起こり得るシーケンスの説明図である。
【図７】
リードイン領域の先頭に対してシフトしている本発明の第１実施例によるシーケンスの説明図である。
【図８】
特殊符号が特定の順序で配置されている本発明の第２実施例によるシーケンスの説明図である。
【図９】
リードイン領域の先頭に対してシフトしている本発明の第３実施例によるシーケンスの説明図である。
【図１０】
本発明による記録再生装置の一実施例の説明図である。
【図１１】
情報記録処理を制御する制御プログラムのフローチャートである。
【図１２】
リードイン領域の拡張領域に付加制御情報が配置された本発明の第４実施例の説明図である。
【図１３】
付加制御情報がリードイン部に混ぜ合わされた本発明の第５実施例の説明図である。
【図２】
2004515876.tif 000003
【図３】
2004515876.tif 000004
【図１２】
2004515876.tif 000005
【図１３】
2004515876.tif 000006
【国際公開パンフレット】
2004515876.tif 000007
2004515876.tif 000008
2004515876.tif 000009
2004515876.tif 000010
2004515876.tif 000011
2004515876.tif 000012
2004515876.tif 000013
2004515876.tif 000014
2004515876.tif 000015
2004515876.tif 000016
2004515876.tif 000017
2004515876.tif 000018
2004515876.tif 000019
2004515876.tif 000020
2004515876.tif 000021
2004515876.tif 000022
2004515876.tif 000023
2004515876.tif 000024
2004515876.tif 000025
2004515876.tif 000026
2004515876.tif 000027
2004515876.tif 000028
2004515876.tif 000029
2004515876.tif 000030
2004515876.tif 000031
2004515876.tif 000032
2004515876.tif 000033
2004515876.tif 000034
【国際調査報告】
2004515876.tif 000035
2004515876.tif 000036